(57)【要約】【課題】    室内空気の調湿や温度調整を行う空気調和装置において、熱交換器の近傍で発生するドレン水をより簡便に機外へ排出できるようにする。【解決手段】第１熱交換器(103)と第２熱交換器(104)にそれぞれ第１ドレンパン(131)、第２ドレンパン(132)を設け、第１，第２ドレンパン(131,132)が連通する連通通路(133)を設ける。この構成において、機内で発生する圧力差を利用して、ドレンパン(130)内のドレン水を片側のドレンパンに移送する。【選択図】  図８
2005030690.tif 000002
【特許請求の範囲】
【請求項１】
ケーシング(10)内に、
室内へ第１空気を供給する第１送風手段(95)が配置された第１空気通路と、
室外へ第２空気を排出する第２送風手段(96)が配置された第２空気通路と、
上記第１空気及び第２空気の一方、または両方を加湿または減湿する吸着素子(81,82)と、
上記第１空気及び第２空気の一方、または両方を加温または冷却する冷媒回路と、
上記冷媒回路の熱交換器より発生したドレン水を回収するためのドレンパン(130)とを備えた空気調和装置であって、
上記熱交換器(103,104)は、第１空気通路に配置された第１熱交換器(103)と、第２空気通路に配置された第２熱交換器(104)とを有し、
上記ドレンパン(130)は、上記第１熱交換器(103)のドレン水を回収する第１ドレンパン(131)と、上記第２熱交換器(104)のドレン水を回収する第２ドレンパン(132)と、上記第１ドレンパン(131)と第２ドレンパン(132)とが互いに連通する連通通路(133)とを備え、
運転時に、上記ドレンパン(130)の近傍において、上記第１空気通路と上記第２空気通路とに圧力差を発生させる差圧発生手段を備えていることを特徴とする空気調和装置。
【請求項２】
請求項１に記載の空気調和装置において、
上記第１熱交換器(103)と上記第２熱交換器(104)とが近接して配置されていることを特徴とする空気調和装置。
【請求項３】
請求項１または２に記載の空気調和装置において、
差圧発生手段は、第１空気を吸着素子(81,82)により減湿して室内へ供給し、第２空気を室外へ排出する除湿運転時に、ドレンパン(130)の近傍における第２空気通路の圧力を第１空気通路の圧力より低くするように構成されていることを特徴とする空気調和装置。
【請求項４】
請求項３に記載の空気調和装置において、
差圧発生手段は、第２空気が第２空気通路を流通する際に発生する圧力損失を、第１空気が第１空気通路を流通する際に発生する圧力損失より大きくするように構成されていることを特徴とする空気調和装置。
【請求項５】
請求項３または４に記載の空気調和装置において、
第１送風手段(95)は、第１空気通路の出口側端部に配置され、
第２送風手段(96)は、第２空気通路の出口側端部に配置され、
差圧発生手段は、第２送風手段(96)を運転しながら、第１送風手段(95)を所定の時間停止するように構成されていることを特徴とする空気調和装置。
【請求項６】
請求項１または２に記載の空気調和装置において、
差圧発生手段は、第１空気を吸着素子(81,82)により加湿して室内へ供給し、第２空気を室外へ排出する加湿運転時に、ドレンパン(130)の近傍における第１空気通路の圧力を第２空気通路の圧力より低くするように構成されていることを特徴とする空気調和装置。
【請求項７】
請求項６に記載の空気調和装置において、
差圧発生手段は、第１空気が第１空気通路を流通する際に発生する圧力損失を、第２空気が第２空気通路を流通する際に発生する圧力損失より大きくするように構成されていることを特徴とする空気調和装置。
【請求項８】
請求項６または７に記載の空気調和装置において、
第１送風手段(95)は、第１空気通路の出口側端部に配置され、
第２送風手段(96)は、第２空気通路の出口側端部に配置され、
差圧発生手段は、第１送風手段(95)を運転しながら、第２送風手段(96)を所定の時間停止するように構成されていることを特徴とする空気調和装置。
【請求項９】
ケーシング(10)内に、
室内へ第１空気を供給する第１送風手段(95)が配置された第１空気通路と、
室外へ第２空気を排出する第２送風手段(96)が配置された第２空気通路と、
上記第１空気及び第２空気の一方、または両方を加温または冷却する冷媒回路と、
上記冷媒回路の熱交換器(103,104)より発生したドレン水を回収するためのドレンパン(130)とを備えた空気調和装置であって、
上記熱交換器(103,104)は、第１空気通路に配置された第１熱交換器(103)と、第２空気通路に配置された第２熱交換器(104)とを有し、
上記ドレンパン(130)は、上記第１熱交換器(103)のドレン水を回収する第１ドレンパン(131)と、上記第２熱交換器(104)のドレン水を回収する第２ドレンパン(132)と、上記第１ドレンパン(131)と第２ドレンパン(132)とが互いに連通する連通通路(133)とを備え、
運転時に、上記ドレンパン(130)の近傍において、上記第１空気通路と上記第２空気通路とに圧力差を発生させる差圧発生手段を備えていることを特徴とする空気調和装置。
【請求項１０】
請求項９に記載の空気調和装置において、
上記第１ドレンパン(131)と上記第２ドレンパン(132)とが近接して配置されていることを特徴とする空気調和装置。
【請求項１１】
請求項９または１０に記載の空気調和装置において、
差圧発生手段は、第１空気を第１熱交換器(103)で冷却して室内へ供給し、第２空気を室外へ排出する冷房運転時に、ドレンパン(130)の近傍における第２空気通路の圧力を第１空気通路の圧力より低くするように構成されていることを特徴とする空気調和装置。
【請求項１２】
請求項１１に記載の空気調和装置において、
第１送風手段(95)は、第１空気通路の出口側端部に配置され、
第２送風手段(96)は、第２空気通路の出口側端部に配置され、
差圧発生手段は、第２送風手段(96)を運転しながら、第１送風手段(95)を所定の時間停止するように構成されていることを特徴とする空気調和装置。
【請求項１３】
請求項９または１０に記載の空気調和装置において、
差圧発生手段は、第１空気を第１熱交換器(103)で加温して室内へ供給し、第２空気を室外へ排出する暖房運転時に、ドレンパン(130)の近傍における第１空気通路の圧力を第２空気通路の圧力より低くするように構成されていることを特徴とする空気調和装置。
【請求項１４】
請求項１３に記載の空気調和装置において、
第１送風手段(95)は、第１空気通路の出口側端部に配置され、
第２送風手段(96)は、第２空気通路の出口側端部に配置され、
差圧発生手段は、第１送風手段(95)を運転しながら、第２送風手段(96)を所定の時間停止するように構成されていることを特徴とする空気調和装置。
【請求項１５】
ケーシング(10)内に、
室内へ第１空気を供給する第１送風手段(95)が配置された第１空気通路と、
室外へ第２空気を排出する第２送風手段(96)が配置された第２空気通路と、
上記第１空気を加温または冷却する熱交換器(170)と、
上記熱交換器(170)より発生したドレン水を回収するためのドレンパン(130)とを備えた空気調和装置であって、
上記熱交換器(170)は、第１空気通路に配置され、
上記ドレンパン(130)は、上記熱交換器(170)のドレン水を回収する第１ドレンパン(131)と、第２空気通路に配置された第２ドレンパン(132)と、上記第１ドレンパン(131)と第２ドレンパン(132)とが互いに連通する連通通路(133)とを備え、
第１空気を冷却して室内へ供給し、第２空気を室外へ排出する冷房運転時に、上記ドレンパン(130)の近傍における第２空気通路の圧力を第１空気通路の圧力より低くする差圧発生手段を備えていることを特徴とする空気調和装置。
【請求項１６】
請求項１５に記載の空気調和装置において、
上記第１ドレンパン(131)と上記第２ドレンパン(132)とが近接して配置されていることを特徴とする空気調和装置。
【請求項１７】
請求項１５または１６に記載の空気調和装置において、
第２送風手段(96)は、第２空気通路の出口側端部に配置され、
差圧発生手段は、第２送風手段(95)を運転しながら、第１送風手段(96)を所定の時間停止するように構成されていることを特徴とする空気調和装置。
【発明の詳細な説明】
【技術分野】
【０００１】
本発明は、室内空気の調湿や温度調整を行う空気調和装置に関し、より具体的には、空気調和装置のドレン水排出構造に係るものである。
【背景技術】
【０００２】
従来より、空気調和装置として、除湿剤（デシカント）の水分吸着作用を利用して、空調を行うデシカント調湿装置がある。
【０００３】
例えば、デシカント調湿装置は、空気中の水分を吸脱着可能な吸着素子と、空気を冷却/加熱するための冷媒回路と、室外空気を吸引して室内へ供給するための給気ファンと、室内空気を吸引して室外へ排出するための排気ファンとを備えている。さらに、機内には、給気ファンによって導入された外気が流通する給気側通路と、排気ファンによって導入された室内空気が流通する排気側通路が設けられている。この構成において、例えば夏期に室内の除湿を行う場合には、室外より給気ファンで吸引された室外空気は、給気側通路を流通し、吸着素子、冷却回路(熱交換器)を経て、減湿及び冷却された後に、室内へ供給される。また、例えば冬期に室内の加湿を行う場合には、室外より給気ファンで吸引された室外空気は、給気側通路を流通し、吸着素子で加湿された後に、室内へ供給される。一方、室内より排気ファンで吸引された室内空気は、吸着素子、冷媒回路(熱交換器)を経て、減湿された後に、室外へ排出される（特許文献１参照）。
【０００４】
この際、吸着素子で減湿あるいは加湿された空気を冷却するための熱交換器の近傍では、空気の冷却などに伴って、ドレン水が発生する可能性がある。このため、熱交換器の近傍には、このドレン水を排出するためのドレン水排出構造が必要となる。
【特許文献１】特開２００３−１３９３４９号公報
【発明の開示】
【発明が解決しようとする課題】
【０００５】
特許文献１に記載のデシカント調湿装置では、機内に給気側通路と排気側通路が設けられ、それぞれの通路に熱交換器が配置されている。そのため、上記ドレン水排出構造も、それぞれの熱交換器の近傍において必要となる。この場合、このドレン水排出構造として、ドレンパン、ドレン水排出用ポンプ、ドレン配管などを、複数箇所に設ける必要があると考えられる。したがって、機内や機外のドレン水排出構造はより複雑となり、より広い設置スペースが必要になると考えられる。
【０００６】
本発明は、かかる点に鑑みてなされたものであり、その目的とするところは、室内空気の調湿や温度調整を行う空気調和装置において、熱交換器の近傍で発生するドレン水をより簡便に機外へ排出できるようにすることである。
【課題を解決するための手段】
【０００７】
本発明は、室内空気の調湿や温度調整を行う空気調和装置において、２箇所の熱交換器(103,104)にそれぞれドレンパン(131,132)を設け、該ドレンパン(131,132)が互いに連通する連通通路(133)を設けたものである。そして、空気調和装置の運転時に機内で発生する圧力差を利用して、ドレンパン(131,132)内のドレン水を片側のドレンパンに移送して処理できるようにしたものである。
【０００８】
具体的に、請求項１に記載の発明は、ケーシング(10)内に、室内へ第１空気を供給する第１送風手段(95)が配置された第１空気通路と、室外へ第２空気を排出する第２送風手段(96)が配置された第２空気通路と、上記第１空気及び第２空気の一方、または両方を加湿または減湿する吸着素子(81,82)と、上記第１空気及び第２空気の一方、または両方を加温または冷却する冷媒回路と、上記冷媒回路の熱交換器(103,104)より発生したドレン水を回収するためのドレンパン(130)とを備えた空気調和装置を前提としている。
【０００９】
そして、この空気調和装置は、上記熱交換器(103,104)は、第１空気通路に配置された第１熱交換器(103)と、第２空気通路に配置された第２熱交換器(104)とを有し、上記ドレンパン(130)は、上記第１熱交換器(103)のドレン水を回収する第１ドレンパン(131)と、上記第２熱交換器(104)のドレン水を回収する第２ドレンパン(132)と、
上記第１ドレンパン(131)と第２ドレンパン(132)とが互いに連通する連通通路(133)とを備え、運転時に、上記ドレンパン(130)の近傍において、上記第１空気通路と上記第２空気通路とに圧力差を発生させる差圧発生手段を備えていることを特徴とするものである。
【００１０】
この請求項１に記載の発明では、吸着素子(81,82)と冷媒回路とを備えた空気調和装置において、第１空気通路に配置された第１熱交換器(103)及び第２空気通路に配置された第２熱交換器(104)の近傍で発生したドレン水が、それぞれ第１ドレンパン(131)及び第２ドレンパン(132)で回収される。この際、第１ドレンパン(131)と第２ドレンパン(132)とは、連通通路(133)により連通しているため、第１，第２ドレンパン(131,132)内のドレン水は、相互に流通することが可能な状態となっている。また、空気調和装置の運転時には、第１送風手段(95)と第２送風手段(96)との稼働に伴い、第１空気通路と第２空気通路で一定の圧力が生じている。
【００１１】
ここで、第１空気通路と第２空気通路との間の差圧発生手段により、第１空気通路と第２空気通路との間に圧力差が発生すると、圧力が高い側の空気通路に配置されたドレンパン内のドレン水が、圧力が低い側の空気通路に配置されたドレンパンに向かって、上記連通通路(133)を介して移動する。したがって、第１，第２ドレンパン(131,132)で回収されたドレン水を、片側のドレンパンに集めることができる。
【００１２】
請求項２に記載の発明は、請求項１に記載の空気調和装置において、上記第１熱交換器(103)と上記第２熱交換器(104)とが近接して配置されていることを特徴とするものである。
【００１３】
この請求項２に記載の発明では、第１空気通路に配置された第１熱交換器(103)と、第２空気通路に配置された第２熱交換器(104)とが、ケーシング(10)内に近接して配置されている。このため、第１熱交換器(103)の近傍に設けられる第１ドレンパン(131)と、第２熱交換器(104)の近傍に設けられる第２ドレンパン(132)とが近い位置に配置される。この構成により、第１，第２ドレンパン(131,132)の連通通路(133)は短くなり、第１ドレンパン(131)と第２ドレンパン(132)とを備えたドレンパン(130)をケーシング(10)内にコンパクトに設けることができる。
【００１４】
請求項３に記載の発明は、請求項１または２に記載の空気調和装置において、差圧発生手段が、第１空気を吸着素子(81,82)により減湿して室内へ供給し、第２空気を室外へ排出する除湿運転時に、ドレンパン(130)の近傍における第２空気通路の圧力を第１空気通路の圧力より低くするように構成されていることを特徴とするものである。
【００１５】
この請求項３に記載の発明では、除湿運転時に、第２空気通路の圧力を第１空気通路の圧力より低くする差圧発生手段により、第１空気通路に配置された第１ドレンパン(131)内のドレン水が、第２空気通路に配置された第２ドレンパン(132)へ移送される。ここで、除湿運転時には、第２送風手段(96)により第２空気通路を流通する第２空気が、第２ドレンパン(132)内に集められたドレン水の近傍を通過するため、このドレン水を蒸発させることができる。こうすると、第２空気は、気化されたドレン水とともに室外へ排出される。したがって、ドレンパン(130)に例えばポンプやドレン配管などのドレン水排出手段を具備せずに、ドレン水を機外へ排出することができる。
【００１６】
請求項４に記載の発明は、請求項３に記載の空気調和装置において、差圧発生手段が、第２空気が第２空気通路を流通する際に発生する圧力損失を、第１空気が第１空気通路を流通する際に発生する圧力損失より大きくするように構成されていることを特徴とするものである。
【００１７】
この請求項４に記載の発明では、差圧発生手段により、第２空気が第２空気通路を流通する際に発生する圧力損失が、第１空気が第１空気流路を流通する際に発生する圧力損失より大きくなる。ここで、第２空気通路の圧力損失が、第１空気通路の圧力損失より大きくなると、第２空気通路の圧力は、第１空気通路の圧力よりも小さくなる。したがって、第１空気通路に配置された第１ドレンパン(131)内のドレン水を、第２空気通路に配置された第２ドレンパン(132)へ移送することができる。そして、第２ドレンパン(132)内に集められたドレン水を、第２空気により蒸発させ、機外へ排出することができる。
【００１８】
請求項５に記載の発明は、請求項３または４に記載の空気調和装置において、第１送風手段(95)が第１空気通路の出口側端部に配置され、第２送風手段(96)が第２空気通路の出口側端部に配置され、差圧発生手段は、第２送風手段(96)を運転しながら、第１送風手段(95)を所定の時間停止するように構成されていることを特徴とするものである。
【００１９】
この請求項５に記載の発明では、第２空気通路に配置された第２送風手段(96)を運転しながら、第１空気通路に配置された第１送風手段(95)を所定の時間停止する差圧発生手段が構成されている。また、第１，第２送風手段(95,96)は、それぞれ、第１，第２空気通路の出口側端部に配置されている。したがって、この第１，第２ドレンパン(131,132)の近傍には、上記第１，第２送風手段(95,96)の吸引圧が作用している。この際、第２送風手段(96)を運転しながら第１送風手段(95)を所定の時間停止すると、第１ドレンパン(131)の近傍における第１送風手段(95)の吸引圧は作用しなくなる。このため、第１空気通路の圧力は高くなり、第２空気通路の圧力は、第１空気通路の圧力よりも相対的に低くなる。したがって、第１空気通路に配置された第１ドレンパン(131)内のドレン水を、第２空気通路に配置された第２ドレンパン(132)へ移送することができる。そして、第２ドレンパン(132)内に集められたドレン水を、第２空気により蒸発させ、機外へ排出することができる。
【００２０】
請求項６に記載の発明は、請求項１または２に記載の空気調和装置において、差圧発生手段は、第１空気を吸着素子(81,82)により加湿して室内へ供給し、第２空気を室外へ排出する加湿運転時に、ドレンパン(130)の近傍における第１空気通路の圧力を第２空気通路の圧力より低くするように構成されていることを特徴とするものである。
【００２１】
この請求項６に記載の発明では、加湿運転時に、第１空気通路の圧力を第２空気通路の圧力より低くする差圧発生手段により、第２空気通路に配置された第２ドレンパン(132)内のドレン水が、第１空気通路に配置された第１ドレンパン(131)へ移送される。ここで、加湿運転時には、第１送風手段(95)により第１空気通路を流通する第１空気が、第１ドレンパン(131)内に集められたドレン水の近傍を通過するため、このドレン水を蒸発させることができる。こうすると、第１空気は、気化されたドレン水とともに室内へ供給される。したがって、ドレンパン(130)に例えばポンプやドレン配管などのドレン水排出手段を具備せずに、ドレン水を機外へ排出することができる。
【００２２】
また、第１空気は、気化されたドレン水によってさらに加湿されて室内へ供給されるため、加湿運転時における第１空気の加湿性能を向上することができる。
【００２３】
請求項７に記載の発明は、請求項６に記載の空気調和装置において、差圧発生手段が、第１空気が第１空気通路を流通する際に発生する圧力損失を、第２空気が第２空気通路を流通する際に発生する圧力損失より大きくするように構成されていることを特徴とするものである。
【００２４】
この請求項７に記載の発明では、差圧発生手段により、第１空気が第１空気通路を流通する際に発生する圧力損失が、第２空気が第２空気流路を流通する際に発生する圧力損失より大きくなる。ここで、第１空気通路の圧力損失が、第２空気通路の圧力損失より大きくなると、第１空気通路の圧力は、第２空気通路の圧力よりも低くなる。したがって、第２空気通路に配置された第２ドレンパン(132)内のドレン水を、第１空気通路に配置された第１ドレンパン(131)へ移送することができる。そして、第１ドレンパン(131)内に集められたドレン水を、第１空気により蒸発させ機外へ排出することができる。
【００２５】
請求項８に記載の発明は、請求項６または７に記載の空気調和装置において、第１送風手段(95)が第１空気通路の出口側端部に配置され、第２送風手段(96)が第２空気通路の出口側端部に配置され、差圧発生手段は、第１送風手段(95)を運転しながら、第２送風手段(96)を所定の時間停止するように構成されていることを特徴とするものである。
【００２６】
この請求項８に記載の発明では、第１空気通路に配置された第１送風手段(95)を運転しながら、第２空気通路に配置された第２送風手段(96)を所定の時間停止する差圧発生手段が構成されている。また、第１，第２送風手段(95,96)は、それぞれ、第１，第２空気通路の出口側端部に配置されている。したがって、この第１，第２ドレンパン(131,132)の近傍には、上記第１，第２送風手段(95,96)の吸引圧が作用している。この際、第１送風手段(95)を運転しながら第２送風手段(96)を所定の時間停止すると、第２ドレンパン(132)の近傍における第２送風手段(96)の吸引圧は作用しなくなる。したがって、第２空気通路の圧力は高くなり、第１空気通路の圧力は、第２空気通路の圧力よりも相対的に低くなる。したがって、第２空気通路に配置された第２ドレンパン(132)内のドレン水を、第１空気通路に配置された第１ドレンパン(131)へ移送することができる。そして、第１ドレンパン(131)内に集められたドレン水を、第１空気により蒸発させ、機外へ排出することができる。
【００２７】
請求項９に記載の発明は、ケーシング(10)内に、室内へ第１空気を供給する第１送風手段(95)が配置された第１空気通路と、室外へ第２空気を排出する第２送風手段(96)が配置された第２空気通路と、上記第１空気及び第２空気の一方、または両方を加温または冷却する冷媒回路と、上記冷媒回路の熱交換器(103,104)より発生したドレン水を回収するためのドレンパン(130)とを備えた空気調和装置を前提としている。
【００２８】
そして、この空気調和装置は、上記熱交換器(103,104)が、第１空気通路に配置された第１熱交換器(103)と、第２空気通路に配置された第２熱交換器(104)とを有し、上記ドレンパン(130)は、上記第１熱交換器(103)のドレン水を回収する第１ドレンパン(131)と、上記第２熱交換器(104)のドレン水を回収する第２ドレンパン(132)と、上記第１ドレンパン(131)と第２ドレンパン(132)とが互いに連通する連通通路(133)とを備え、運転時に、上記ドレンパン(130)の近傍において、上記第１空気通路と上記第２空気通路とに圧力差を発生させる差圧発生手段を備えていることを特徴とするものである。
【００２９】
この請求項９に記載の発明では、冷媒回路を備えた空気調和装置において、第１空気通路に配置された第１熱交換器(103)及び第２空気通路に配置された第２熱交換器(104)の近傍で発生したドレン水が、それぞれ第１ドレンパン(131)及び第２ドレンパン(132)で回収される。この際、第１ドレンパン(131)と第２ドレンパン(132)とは、連通通路(133)により連通しているため、第１，第２ドレンパン(131,132)内のドレン水は、相互に流通することが可能な状態となっている。また、空気調和装置の運転時には、第１送風手段(95)と第２送風手段(96)との稼働に伴い、第１空気通路と第２空気通路で一定の圧力が生じている。
【００３０】
ここで、第１空気通路と第２空気通路との間の差圧発生手段により、第１空気通路と第２空気通路との間に圧力差が発生すると、圧力が高い側の空気通路に配置されたドレンパン内のドレン水が、圧力が低い側の空気通路に配置されたドレンパンに向かって、上記連通通路(133)を介して移動する。したがって、第１，第２ドレンパン(131,132)で回収されたドレン水を、片側のドレンパンに集めることができる。
【００３１】
請求項１０に記載の発明は、請求項９に記載の空気調和装置において、上記第１ドレンパン(131)と上記第２ドレンパン(132)とが近接して配置されていることを特徴とするものである。
【００３２】
この請求項１０に記載の発明では、第１ドレンパン(131)と第２ドレンパン(132)とが近い位置に配置されているため、第１，第２ドレンパン(131,132)の連通通路(133)は短くなり、第１ドレンパン(131)と第２ドレンパン(132)とを備えたドレンパン(130)をケーシング(10)内にコンパクトに設けることができる。
【００３３】
請求項１１に記載の発明は、請求項９または１０に記載の空気調和装置において、差圧発生手段は、第１空気を第１熱交換器(103)で冷却して室内へ供給し、第２空気を室外へ排出する冷房運転時に、ドレンパン(130)の近傍における第２空気通路の圧力を第１空気通路の圧力より低くするように構成されていることを特徴とするものである。
【００３４】
この請求項１１に記載の発明では、冷房運転時に、第２空気通路の圧力を第１空気通路の圧力より低くする差圧発生手段により、第１空気通路に配置された第１ドレンパン(131)内のドレン水が、第２空気通路に配置された第２ドレンパン(132)へ移送される。ここで、冷房運転時には、第２送風手段(96)により第２空気通路を流通する第２空気が、第２ドレンパン(132)内に集められたドレン水の近傍を通過するため、このドレン水を蒸発させることができる。こうすると、第２空気は、気化されたドレン水とともに室外へ排出される。したがって、ドレンパン(130)に例えばポンプやドレン配管などのドレン水排出手段を具備せずに、ドレン水を機外へ排出することができる。
【００３５】
請求項１２に記載の発明は、請求項１１に記載の空気調和装置において、第１送風手段(95)は、第１空気通路の出口側端部に配置され、第２送風手段(96)は、第２空気通路の出口側端部に配置され、差圧発生手段は、第２送風手段(96)を運転しながら、第１送風手段(95)を所定の時間停止するように構成されていることを特徴とするものである。
【００３６】
この請求項１２に記載の発明では、第２空気通路に配置された第２送風手段(96)を運転しながら、第１空気通路に配置された第１送風手段(95)を所定の時間停止する差圧発生手段が構成されている。また、第１，第２送風手段(95,96)は、それぞれ、第１，第２空気通路の出口側端部に配置されている。したがって、この第１，第２ドレンパン(131,132)の近傍には、上記第１，第２送風手段(95,96)の吸引圧が作用している。この際、第２送風手段(96)を運転しながら第１送風手段(95)を所定の時間停止すると、第１ドレンパン(131)の近傍における第１送風手段(95)の吸引圧は作用しなくなる。このため、第１空気通路の圧力は高くなり、第２空気通路の圧力は、第１空気通路の圧力よりも相対的に低くなる。したがって、第１空気通路に配置された第１ドレンパン(131)内のドレン水を、第２空気通路に配置された第２ドレンパン(132)へ移送することができる。そして、第２ドレンパン(132)内に集められたドレン水を、第２空気により蒸発させ、機外へ排出することができる。
【００３７】
請求項１３に記載の発明は、請求項９または１０に記載の空気調和装置において、差圧発生手段は、第１空気を第１熱交換器(103)で加温して室内へ供給し、第２空気を室外へ排出する暖房運転時に、ドレンパン(130)の近傍における第１空気通路の圧力を第２空気通路の圧力より低くするように構成されていることを特徴とするものである。
【００３８】
この請求項１３に記載の発明では、暖房運転時に、第１空気通路の圧力を第２空気通路の圧力より低くする差圧発生手段により、第２空気通路に配置された第２ドレンパン(132)内のドレン水が、第１空気通路に配置された第１ドレンパン(131)へ移送される。ここで、暖房運転時には、第１送風手段(95)により第１空気通路を流通する第１空気が、第１ドレンパン(131)内に集められたドレン水の近傍を通過するため、このドレン水を蒸発させることができる。こうすると、第１空気は、気化されたドレン水とともに室内へ供給される。したがって、ドレンパン(130)に例えばポンプやドレン配管などのドレン水排出手段を具備せずに、ドレン水を機外へ排出することができる。
【００３９】
また、第１空気は、気化されたドレン水によって加湿されて室内へ供給されるため、暖房運転時の加湿性能を向上することができる。
【００４０】
請求項１４に記載の発明は、請求項１３に記載の空気調和装置において、第１送風手段(95)は、第１空気通路の出口側端部に配置され、第２送風手段(96)は、第２空気通路の出口側端部に配置され、差圧発生手段は、第１送風手段(95)を運転しながら、第２送風手段(96)を所定の時間停止するように構成されていることを特徴とするものである。
【００４１】
この請求項１４に記載の発明では、第１空気通路に配置された第１送風手段(95)を運転しながら、第２空気通路に配置された第２送風手段(96)を所定の時間停止する差圧発生手段が構成されている。また、第１，第２送風手段(95,96)は、それぞれ、第１，第２空気通路の出口側端部に配置されている。したがって、この第１，第２ドレンパン(131,132)の近傍には、上記第１，第２送風手段(95,96)の吸引圧が作用している。この際、第１送風手段(95)を運転しながら第２送風手段(96)を所定の時間停止すると、第２ドレンパン(132)の近傍における第２送風手段(96)の吸引圧は作用しなくなる。したがって、第２空気通路の圧力は高くなり、第１空気通路の圧力は、第２空気通路の圧力よりも相対的に低くなる。したがって、第２空気通路に配置された第２ドレンパン(132)内のドレン水を、第１空気通路に配置された第１ドレンパン(131)へ移送することができる。そして、第１ドレンパン(131)内に集められたドレン水を、第１空気により蒸発させ、機外へ排出することができる。
【００４２】
請求項１５に記載の発明は、ケーシング(10)内に、室内へ第１空気を供給する第１送風手段(95)が配置された第１空気通路と、室外へ第２空気を排出する第２送風手段(96)が配置された第２空気通路と、上記第１空気を加温または冷却する熱交換器(170)と、上記熱交換器(170)より発生したドレン水を回収するためのドレンパン(130)とを備えた空気調和装置を前提としている。
【００４３】
そして、この空気調和装置は、上記熱交換器(170)が、第１空気通路に配置され、上記ドレンパン(130)は、上記熱交換器(170)のドレン水を回収する第１ドレンパン(131)と、第２空気通路に配置された第２ドレンパン(132)と、上記第１ドレンパン(131)と第２ドレンパン(132)とが互いに連通する連通通路(133)とを備え、第１空気を冷却して室内へ供給し、第２空気を室外へ排出する冷房運転時に、上記ドレンパン(130)の近傍における第２空気通路の圧力を第１空気通路の圧力より低くする差圧発生手段を備えていることを特徴とするものである。
【００４４】
この請求項１５に記載の発明では、熱交換器(170)によって室内空気の加温や冷却を行う空気調和装置において、第１空気通路に配置された第１熱交換器(103)の近傍で発生したドレン水が、第１ドレンパン(131)で回収される。この際、第２空気通路には、上記第１ドレンパンと連通通路(133)を介して連通する第２ドレンパン(132)が配置されている。そして、第１ドレンパン(131)内のドレン水は、第２ドレンパン(132)に流通することが可能な状態となっている。また、空気調和装置の運転時には、第１送風手段(95)と第２送風手段(96)との稼働に伴い、第１空気通路と第２空気通路で一定の圧力が生じている。
【００４５】
ここで、冷房運転時に、第１空気通路と第２空気通路との間の差圧発生手段により、ドレンパン(130)の近傍における第２空気通路の圧力が、第１空気通路と圧力よりも低くなると、第１ドレンパン(131)内のドレン水は、連通通路(133)を介して第２ドレンパン(132)へ移送される。ここで、冷房運転時には、第２送風手段(96)により第２空気通路を流通する第２空気が、第２ドレンパン(132)内に集められたドレン水の近傍を通過するため、このドレン水を蒸発させることができる。こうすると、第２空気は、気化されたドレン水とともに室外へ排出される。したがって、ドレンパン(130)に例えばポンプやドレン配管などのドレン水排出手段を具備せずに、ドレン水を機外へ排出することができる。
【００４６】
請求項１６に記載の発明は、請求項１５に記載の空気調和装置において、上記第１ドレンパン(131)と上記第２ドレンパン(132)とが近接して配置されていることを特徴とするものである。
【００４７】
この請求項１６に記載の発明では、第１ドレンパン(131)と第２ドレンパン(132)とが近い位置に配置されているため、第１，第２ドレンパン(131,132)の連通通路(133)は短くなり、第１ドレンパン(131)と第２ドレンパン(132)とを備えたドレンパン(130)をケーシング(10)内にコンパクトに設けることができる。
【００４８】
請求項１７に記載の発明は、請求項１５または１６に記載の空気調和装置において、第２送風手段(96)は、第２空気通路の出口側端部に配置され、差圧発生手段は、第２送風手段(95)を運転しながら、第１送風手段(96)を所定の時間停止するように構成されていることを特徴とするものである。
【００４９】
この請求項１７に記載の発明では、第２空気通路の出口側端部に配置された第２送風手段(96)を運転しながら、第１空気通路に配置された第１送風手段(95)を所定の時間停止する差圧発生手段が構成されている。この構成において、第１送風手段(95)を所定の時間停止すると、第２ドレンパン(132)に第２送風手段(96)の吸引圧が作用する一方、第１ドレンパン(131)には圧力が作用しない状態となる。したがって、第２空気通路の圧力は、第１空気通路の圧力よりも相対的に低くなる。したがって、第１空気通路に配置された第１ドレンパン(131)内のドレン水を、第２空気通路に配置された第２ドレンパン(132)へ移送することができる。そして、第１ドレンパン(131)内に集められたドレン水を、第１空気により蒸発させ、機外へ排出することができる。
【発明の効果】
【００５０】
請求項１に記載の発明によれば、吸着素子(81,82)と冷媒回路とを備えた空気調和装置において、第１熱交換器(103)及び第２熱交換器(104)で生じたドレン水をそれぞれ第１ドレンパン(131)、第２ドレンパン(132)で回収することができる。ここで、第１ドレンパン(131)と第２ドレンパン(132)とは、連通通路(133)により連通した状態になっている。この際、第１空気通路と第２空気通路との圧力差が発生すると、圧力が高い側の空気通路に配置されたドレンパン(130)内のドレン水を、圧力が低い側の空気通路に配置されたドレンパン(130)へ移送することができる。これにより、第１，第２ドレンパン(131,132)で回収されたドレン水を一つのドレンパン(130)に集めることができる。したがって、ドレン水の排出を簡便に行うことができる。
【００５１】
請求項２に記載の発明によれば、第１熱交換器(103)と第２熱交換器(104)とを近接して配置している。これにより、第１ドレンパン(131)と第２ドレンパン(132)も近接することになり、第１ドレンパン(131)と第２ドレンパン(132)とを連通するための連通通路(133)が短くなる。よって、第１ドレンパン(131)と第２ドレンパン(132)とを一体化することができる。このため、ドレンパン(130)をケーシング(10)内にコンパクトに納めることができる。
【００５２】
請求項３に記載の発明によれば、除湿運転時に、第２空気通路の圧力を第１空気通路の圧力より低くする差圧発生手段により、第１ドレンパン(131)内のドレン水を第２ドレンパン(132)へ移送することができる。このため、第１，第２ドレンパン(131,132)で回収されたドレン水は、第２ドレンパン(132)に集められる。ここで、第２ドレンパン(132)の近傍には第２空気が流通しているため、第２ドレンパン(132)内のドレン水を、この第２空気によって蒸発させ、第２空気とともに室外へ排出できる。このため、ドレン水の排出構造をシンプルに構成でき、設置スペースをコンパクト化することができる。
【００５３】
請求項４に記載の発明によれば、除湿運転時に、第２空気通路の圧力損失を第１空気通路の圧力損失よりも大きくする差圧発生手段により、第１ドレンパン(131)内のドレン水を第２ドレンパン(132)へ移送することができる。そして、第２ドレンパン(132)に集められたドレン水を、第２空気により蒸発させ、室外へ排出することができる。したがって、ドレン水の排出構造をシンプルかつコンパクトに構成することができる。
【００５４】
請求項５に記載の発明によれば、除湿運転時に、第２送風手段(96)を運転しながら、第１送風手段(95)を所定の時間停止する差圧発生手段により、第１ドレンパン(131)内のドレン水を第２ドレンパン(132)へ移送することができる。そして、第２ドレンパン(132)に集められたドレン水を、第２空気により蒸発させ、室外へ排出することができる。したがって、ドレン水を簡便かつ確実に機外へ排出することができる。
【００５５】
請求項６に記載の発明によれば、加湿運転時に、第１空気通路の圧力を第２空気通路の圧力より低くする差圧発生手段により、第２ドレンパン(132)内のドレン水を第１ドレンパン(131)へ移送することができる。このため、第１，第２ドレンパン(131,132)で回収されたドレン水を第１ドレンパン(131)に集めることができる。ここで、第１ドレンパン(131)近傍には第１空気が流通しているため、第１ドレンパン(131)内のドレン水を、この第１空気によって蒸発させ、第１空気とともに室内へ供給できる。このため、ドレン水の排出構造をシンプルに構成でき、設置スペースをコンパクト化することができる。また、第１空気は、蒸発したドレン水によってさらに加湿されるから、加湿運転時の性能を向上することができる。
【００５６】
請求項７に記載の発明によれば、加湿運転時に、第１空気通路の圧力損失を第２空気通路の圧力損失よりも大きくする差圧発生手段により、第２ドレンパン(132)内のドレン水を第１ドレンパン(131)へ移送することができる。そして、第１ドレンパン(131)に集められたドレン水を、第１空気により蒸発させ、室内へ供給できる。したがって、ドレン水の排出構造をシンプルかつコンパクトに構成することができる。
【００５７】
請求項８に記載の発明によれば、加湿運転時に、第１送風手段(95)を運転しながら、第２送風手段(96)を所定の時間停止する差圧発生手段により、第２ドレンパン(132)内のドレン水を第１ドレンパン(131)へ移送することができる。そして、第１ドレンパン(131)に集められたドレン水を、第１空気により蒸発させ、室内へ供給できる。したがって、ドレン水を簡便かつ確実に機外へ排出することができる。
【００５８】
請求項９に記載の発明によれば、冷媒回路を備えた空気調和装置において、第１熱交換器(103)及び第２熱交換器(104)で生じたドレン水をそれぞれ第１ドレンパン(131)、第２ドレンパン(132)で回収することができる。ここで、第１ドレンパン(131)と第２ドレンパン(132)とは、連通通路(133)により連通した状態になっている。この際、第１空気通路と第２空気通路との圧力差が発生すると、圧力が高い側の空気通路に配置されたドレンパン(130)内のドレン水を、圧力が低い側の空気通路に配置されたドレンパン(130)へ移送することができる。これにより、第１，第２ドレンパン(131,132)で回収されたドレン水を一つのドレンパン(130)に集めることができる。したがって、ドレン水の排出を簡便に行うことができる。
【００５９】
請求項１０に記載の発明によれば、第１ドレンパン(131)と第２ドレンパン(132)とを近い位置に配置することで、第１ドレンパン(131)と第２ドレンパン(132)とが連通する連通通路(133)を短くすることができる。よって、第１ドレンパン(131)と第２ドレンパン(132)とを一体化することができる。このため、ドレンパン(130)をケーシング(10)内にコンパクトに納めることができる。
【００６０】
請求項１１に記載の発明によれば、冷房運転時に、第２空気通路の圧力を第１空気通路の圧力より低くする差圧発生手段により、第１ドレンパン(131)内のドレン水を第２ドレンパン(132)へ移送することができる。このため、第１，第２ドレンパン(131,132)で回収されたドレン水は、第２ドレンパン(132)に集められる。ここで、第２ドレンパン(132)の近傍には第２空気が流通しているため、第２ドレンパン(132)内のドレン水を、この第２空気によって蒸発させ、第２空気とともに室外へ排出できる。このため、ドレン水の排出構造をシンプルに構成でき、設置スペースをコンパクト化することができる。
【００６１】
請求項１２に記載の発明によれば、冷房運転時に、第２送風手段(96)を運転しながら、第１送風手段(95)を所定の時間停止する差圧発生手段により、第１ドレンパン(131)内のドレン水を第２ドレンパン(132)へ移送することができる。そして、第２ドレンパン(132)に集められたドレン水を、第２空気により蒸発させ、室外へ排出することができる。したがって、ドレン水を簡便かつ確実に機外へ排出することができる。
【００６２】
請求項１３に記載の発明によれば、暖房運転時に、第１空気通路の圧力を第２空気通路の圧力より低くする差圧発生手段により、第２ドレンパン(132)内のドレン水を第１ドレンパン(131)へ移送することができる。このため、第１，第２ドレンパン(131,132)で回収されたドレン水を第１ドレンパン(131)に集めることができる。ここで、第１ドレンパン(131)近傍には第１空気が流通しているため、第１ドレンパン(131)内のドレン水を、この第１空気によって蒸発させ、第１空気とともに室内へ供給できる。このため、ドレン水の排出構造をシンプルに構成でき、設置スペースをコンパクト化することができる。また、第１空気は、蒸発したドレン水によってさらに加湿されるから、暖房運転時に加湿効果を得ることができる。
【００６３】
請求項１４に記載の発明によれば、暖房運転時に、第１送風手段(95)を運転しながら、第２送風手段(96)を所定の時間停止する差圧発生手段により、第２ドレンパン(132)内のドレン水を第１ドレンパン(131)へ移送することができる。そして、第１ドレンパン(131)に集められたドレン水を、第１空気により蒸発させ、室内へ供給できる。したがって、ドレン水を簡便かつ確実に機外へ排出することができる。
【００６４】
請求項１５に記載の発明によれば、熱交換器(170)により室内空気の加温または冷却を行う空気調和装置において、第１熱交換器(103)で生じたドレン水は、第１ドレンパン(131)に回収される。また、上記第１ドレンパン(131)は、連通通路(133)を介して、第２ドレンパン(132)と連通した状態になっている。この際、第２空気通路の圧力を第１空気通路の圧力よりも低くすることで、第１ドレンパン(131)内のドレン水を第２ドレンパン(132)へ移送することができる。ここで、第２ドレンパン(132)の近傍には、第２空気が流通しているため、第２ドレンパン(132)内のドレン水を、この第２空気によって蒸発させ、室外へ排出することができる。したがって、ドレン水の排出構造をシンプルに構成できる。
【００６５】
請求項１６に記載の発明によれば、第１ドレンパン(131)と第２ドレンパン(132)とを近い位置に配置することで、第１ドレンパン(131)と第２ドレンパン(132)とが連通する連通通路(133)を短くすることができる。よって、第１ドレンパン(131)と第２ドレンパン(132)とを一体化することができる。このため、ドレンパン(130)をケーシング(10)内にコンパクトに納めることができる。
【００６６】
請求項１７に記載の発明によれば、冷房運転時に、第２送風手段(96)を運転しながら、第１送風手段(95)を所定の時間停止する差圧発生手段により、第１ドレンパン(131)内のドレン水を第２ドレンパン(132)へ移送することができる。そして、第２ドレンパン(132)に集められたドレン水を、第２空気により蒸発させ、室外へ排出できる。したがって、ドレン水を簡便かつ確実に機外へ排出することができる。
【発明を実施するための最良の形態】
【００６７】
以下、本発明を実施の形態を図面に基づいて詳細に説明する。
【００６８】
《発明の実施形態１》
本実施形態に係る空気調和装置は、減湿された空気を室内へ供給する除湿運転と、加湿された空気を室内へ供給する加湿運転とを切り換えて行うように構成されている。また、この空気調和装置は、吸着素子と、冷媒回路とを備え、バッチ式（回分式)の動作を行うように構成されている。ここでは、本実施形態に係る空気調和装置の構成について、図１、図５、図７、図８を参照しながら説明する。尚、本実施形態１の説明において、「上」「下」「左」「右」「前」「後」「手前」「奥」は、特にことわらない限り、図１に示す空気調和装置を正面側から見た場合の方向性を意味している。
【００６９】
図１に示すように、上記空気調和装置は、やや扁平な直方体状のケーシング(10)を備えている。このケーシング(10)には、２つの吸着素子(81,82)と冷媒回路とが収納されている。
【００７０】
冷媒回路には、凝縮器として機能する再生熱交換器(102)と、蒸発器として機能する熱交換器(103)と、圧縮機(101)及び膨張弁とが設けられている。この冷媒回路では、充填された冷媒を循環させることによって冷凍サイクルが行われる。また、熱交換器(103)は、第１熱交換器(103)と第２熱交換器(104)で構成され、上記冷媒回路は、第１熱交換器(103)が蒸発器となる運転と、第２熱交換器(104)が蒸発器となる運転とを切り換え可能に構成されている。
【００７１】
図７に示すように、上記吸着素子(81,82)は、平板状の平板部材(83)と波形状の波板部材(84)とが交互に積層して構成されている。波板部材(84)は、隣接する波板部材(84)の稜線方向が互いに９０°ずれる姿勢で積層されている。そして、吸着素子(81,82)は、全体として直方体状ないし四角柱状に形成されている。
【００７２】
上記吸着素子(81,82)には、平板部材(83)及び波板部材(84)の積層方向において、調湿側通路(85)と冷却側通路(86)とが平板部材(83)を挟んで交互に区画形成されている。この吸着素子(81,82)において、平板部材(83)の長辺側の側面に調湿側通路(85)が開口し、平板部材(83)の短辺側の側面に冷却側通路(86)が開口している。
【００７３】
上記吸着素子(81,82)において、調湿側通路(85)に臨む平板部材(83)の表面や、調湿側通路(85)に設けられた波板部材(84)の表面には、水蒸気を吸着するための吸着材が塗布されている。この種の吸着材としては、例えばシリカゲル、ゼオライト、イオン交換樹脂等が挙げられる。
【００７４】
図１に示すように、上記ケーシング(10)において、最も手前側には第１パネル(11)が設けられ、最も奥側には第２パネル(12)が設けられている。第１パネル(11)には、その左端寄りの下部に給気口(14)が形成され、その右端寄りの下部に排気口(16)が形成されている。一方、第２パネル(12)には、その左端寄りの下部に室内側吸引口(13)が形成され、その右端寄りの下部に室外側吸引口(15)が形成されている。
【００７５】
ケーシング(10)の内部は、手前側の第１パネル(11)から奥側の第２パネル(12)に向かう方向において、大別すると２つの空間に仕切られている。
【００７６】
ケーシング(10)の第１パネル(11)寄りに形成された空間は、さらに仕切板(18)により左右の空間に仕切られている。この左右の空間のうち、右側の空間は排気側流路(41)を構成し、左側の空間は給気側流路(42)を構成している。
【００７７】
上記排気側流路(41)は、本発明でいう第２空気通路の一部であり、排気口(16)を介して室外に連通している。この排気側流路(41)には、排気ファン（第２送風手段）(96)、第２熱交換器(104)、及び圧縮機(101)が設置されている。上記第２熱交換器(104)は、排気ファン(96)へ向かって流れる空気を冷媒回路の冷媒と熱交換させる。また、上記圧縮機(101)は、上記冷媒回路の圧縮行程に用いられている。
【００７８】
一方、給気側流路(42)は、本発明でいう第１空気通路の一部であり、給気口(14)を介して室内に連通している。この給気側流路(42)には、給気ファン（第１送風手段）(95)と第１熱交換器(103)とが設置されている。第１熱交換器(103)は、給気ファン(95)へ向かって流れる空気を冷媒回路の冷媒と熱交換させる。
【００７９】
また、図８に示すように、上記第１，第２熱交換器(103,104)より発生するドレン水を回収するためのドレンパン(130)が、給気側流路(42)と排気側流路(41)との双方に跨って配置されている。このドレンパン(130)は、第１熱交換器(103)のドレン水を回収する第１ドレンパン(131)と、第２熱交換器(104)のドレン水を回収する第２ドレンパン(132)とが一体に形成されたものである。第１ドレンパン(131)は、第１熱交換器(103)の下部に位置し、給気側流路(42)に配置されている。一方、第２ドレンパン(132)は、第２熱交換器(104)の下部に位置し、排気側流路(41)に配置されている。このドレンパン(130)は、給気側流路(42)と排気側流路(41)に跨る外縁部(134)から、ドレンパン(130)の中央に向かって斜め下方へ傾斜して形成されている。また、上記仕切板(18)には、第１ドレンパン(131)と第２ドレンパン(132)とが連通するための連通通路(133)が形成されている。この連通通路(133)は、仕切板(18)の下部で、ドレンパン(130)がドレン水により満水になるレベルよりも低い位置に形成されている。
【００８０】
ケーシング(10)の第２パネル(12)寄りに形成された空間は、右側仕切板(20)と、左側仕切板(30)とによって左右に３つの空間に仕切られている。
【００８１】
右側仕切板(20)の右側の空間は、鉛直上下方向に、２つの空間に仕切られている。そして、この空間は、上側の空間が右上部流路(65)を構成し、下側の空間が右下部流路(66)を構成している。右上部流路(65)は、排気側流路(41)と連通している一方、室外側吸引口(15)とは仕切られている。また、右下部流路(66)は、室外側吸引口(15)と連通している一方、排気側流路(41)とは仕切られている。
【００８２】
左側仕切板(30)の左側の空間は、鉛直上下方向に、２つの空間に仕切られている。そして、この空間は、上下の空間が左上部流路(67)を構成し、下側の空間が左下部流路(68)を構成している。左上部流路(67)は、給気側流路(42)と連通している一方、室内側吸引口(13)とは仕切られている。また、左下部流路(68)は、室内側吸引口(13)と連通している一方、給気側流路(42)とは仕切られている。
【００８３】
右側仕切板(20)と左側仕切板(30)の間には、２つの吸着素子(81,82)が設置されている。これら吸着素子(81,82)は、所定の間隔をおいて前後に並んだ状態に配置されている。具体的には、手前側の第１パネル(11)寄りに第１吸着素子(81)が設けられ、奥側の第２パネル(12)寄りに第２吸着素子(82)が設けられている。
【００８４】
第１，第２吸着素子(81,82)は、それぞれにおける平板部材(83)及び波板部材(84)の積層方向がケーシング(10)の左右方向と一致する姿勢で設置されている。この姿勢の各吸着素子(81,82)では、その上下の側面に調湿側通路(85)が開口し、その前後の側面に冷却側通路(86)が開口する一方、その左右の側面にはいずれの通路(85,86)も開口していない。
【００８５】
右側仕切板(20)と左側仕切板(30)との間の空間は、第１流路(51)、第２流路(52)、第１上部流路(53)、第１下部流路(54)、第２上部流路(55)、第２下部流路(56)、及び中央流路(57)に区画されている。
【００８６】
また、図５に示すように、第１流路(51)は、第１吸着素子(81)の手前側（図５においては右側）に形成され、第１吸着素子(81)の冷却側通路(86)に連通している。第２流路(52)は、第２吸着素子(82)の奥側(図５においては左側)に形成され、第２吸着素子(82)の冷却側通路(86)に連通している。
【００８７】
第１上部通路(53)は、第１吸着素子(81)の上側に形成され、第１吸着素子(81)の調湿側通路(85)に連通している。第１下部流路(54)は、第１吸着素子(81)の下側に形成され、第１吸着素子(81)の調湿側通路(85)に連通している。第２上部通路(55)は、第２吸着素子(82)の上側に形成され、第２吸着素子(81)の調湿側通路(85)に連通している。第２下部流路(56)は、第２吸着素子(82)の下側に形成され、第２吸着素子(82)の調湿側通路(85)に連通している。
【００８８】
中央流路(57)は、第１吸着素子(81)と第２吸着素子(82)との間に形成され、両吸着素子(81,82)の冷却側通路(86)に連通している。この中央流路(57)には、再生熱交換器(102)がほぼ垂直に立った状態で設置されている。この再生熱交換器(102)は、中央流路(57)を流れる空気を冷媒回路の冷媒と熱交換させる。そして、再生熱交換器(102)は、凝縮器として機能し、空気を加熱するための加熱器を構成している。
【００８９】
中央流路(57)と第１下部流路(54)との間の仕切りには、第１シャッタ(61)が設けられている。一方、中央流路(57)と第２下部流路(56)との間の仕切りには、第２シャッタ(62)が設けられている。第１シャッタ(61)と第２シャッタ(62)とは、何れもが開閉自在に構成されている。
【００９０】
図１に示すように、右側仕切板(20)には、第１右側開口(21)、第２右側開口(22)、第１右上開口(23)、第１右下開口(24)、第２右上開口(25)、及び第２右下開口(26)が形成されている。これらの開口(21,22,…)は、それぞれが開閉シャッタを備えて開閉自在に構成されている。
【００９１】
第１右側開口(21)は、右側仕切板(20)における手前側の下部に設けられている。第１右側開口(21)の開閉シャッタが開いた状態では、第１流路(51)と右下部流路(66)とが互いに連通する。第２右側開口(22)は、右側仕切板(20)における奥側の下部に設けられている。第２右側開口(22)の開閉シャッタが開いた状態では、第２流路(52)と右下部流路(66)とが互いに連通する。
【００９２】
第１右上開口(23)は、右側仕切板(20)のうち第１吸着素子(81)に隣接する部分の上部に設けられている。第１右上開口(23)の開閉シャッタが開いた状態では、第１上部流路(53)と右上部流路(65)とが互いに連通する。第１右下開口(24)は、右側仕切板(20)のうち第１吸着素子(81)に隣接する部分の下部に設けられている。第１右下開口(24)の開閉シャッタが開いた状態では、第１下部流路(54)と右下部流路(66)とが互いに連通する。
【００９３】
第２右上開口(25)は、右側仕切板(20)のうち第２吸着素子(82)に隣接する部分の上部に設けられている。第２右上開口(25)の開閉シャッタが開いた状態では、第２上部流路(55)と右上部流路(65)とが互いに連通する。第２右下開口(26)は、右側仕切板(20)のうち第２吸着素子(82)に隣接する部分の下部に設けられている。第２右下開口(26)の開閉シャッタが開いた状態では、第２下部流路(56)と右下部流路(66)とが互いに連通する。
【００９４】
左側仕切板(30)には、第１左側開口(31)、第２左側開口(32)、第１左上開口(33)、第１左下開口(34)、第２左上開口(35)、及び第２左下開口(36)が形成されている。これらの開口(31,32,…)は、それぞれが開閉シャッタを備えて開閉自在に構成されている。
【００９５】
第１左側開口(31)は、左側仕切板(30)における手前側の下部に設けられている。第１左上開口(31)の開閉シャッタが開いた状態では、第１流路(51)と左下部流路(68)とが互いに連通する。第２左側開口(32)は、左側仕切板(30)における奥側の下部に設けられている。第２左側開口(32)の開閉シャッタが開いた状態では、第２流路(52)と左下部流路(68)とが互いに連通する。
【００９６】
第１左上開口(33)は、左側仕切板(30)のうち第１吸着素子(81)に隣接する部分の上部に設けられている。第１左上開口(33)の開閉シャッタが開いた状態では、第１上部流路(53)と左上部流路(67)とが互いに連通する。第１左下開口(34)は、左側仕切板(30)のうち第１吸着素子(81)に隣接する部分の下部に設けられている。第１左下開口(34)の開閉シャッタが開いた状態では、第１下部流路(54)と左下部流路(68)とが互いに連通する。
【００９７】
第２左上開口(35)は、左側仕切板(30)のうち第２吸着素子(82)に隣接する部分の上部に設けられている。第２左上開口(35)の開閉シャッタが開いた状態では、第２上部流路(55)と左上部流路(67)とが互いに連通する。第２左下開口(36)は、左側仕切板(30)のうち第２吸着素子(82)に隣接する部分の下部に設けられている。第２左下開口(36)の開閉シャッタが開いた状態では、第２下部流路(56)と左下部流路(68)とが互いに連通する。
【００９８】
−運転動作−
上記空気調和装置の運転動作について説明する。この空気調和装置は、除湿運転と加湿運転とを切り換えて行う。また、この空気調和装置は、後述するように第１動作と第２動作とを交互に繰り返すことによって、除湿運転や加湿運転を行う。
【００９９】
なお、除湿運転時において、冷媒回路では、第１熱交換器(103)が蒸発器となる一方、第２熱交換器(104)が休止している。一方、加湿運転時において、冷媒回路では、第２熱交換器(104)が蒸発器となる一方、第１熱交換器(103)が休止している。
【０１００】
また、図１〜４に示すように、上記空気調和装置の除湿運転や加湿運転時において、給気ファン(95)を駆動すると、室外空気(OA)が室外側吸引口(15)を通じてケーシング(10)内に取り込まれる。この室外空気は第１空気として、所定の空気通路を流通した後に、給気口(14)より室内へ供給される。ここで、上記室外側吸引口(15)から給気口(14)までの第１空気の流通経路が第１空気通路となる。一方、排気ファン(96)を駆動すると、室内空気(RA)が室内側吸引口(13)を通じてケーシング(10)内に取り込まれる。この室内空気は第２空気として、所定の空気通路を流通した後に、排気口(16)より室外へ排出される。ここで、上記室内側吸引口(13)から排気口(16))までの第２空気の流通経路が第２空気通路となる。
【０１０１】
−除湿運転−
次に、除湿運転時の第１動作について、図１，図５(Ａ)を参照しながら説明する。この第１動作では、第１吸着素子(81)についての吸着動作と、第２吸着素子(82)についての再生動作とが行われる。つまり、第１動作では、第１吸着素子(81)で空気が減湿されると同時に、第２吸着素子(82)の吸着材が再生される。
【０１０２】
図１に示すように、右側仕切板(20)では、第１右下開口(24)と第２右上開口(25)の開閉シャッタが開口状態であり、残りの開口(21,22,23,26)の開閉シャッタは閉鎖状態となっている。この状態では、第１右下開口(24)によって右下部流路(66)と第１下部流路(54)とが連通し、第２右上開口(25)によって第２上部流路(55)と右上部流路(65)とが連通している。
【０１０３】
左側仕切板(30)では、第１左側開口(31)と第１左上開口(33)の開閉シャッタが開口状態であり、残りの開口(32,34,35,36)の開閉シャッタが閉鎖状態となっている。この状態では、第１左側開口(31)によって第１流路(51)と左下部流路(68)とが連通し、第１左上開口(33)によって第１上部流路(53)と左上部流路(67)とが連通している。
【０１０４】
また、図５(Ａ)に示すように、第１シャッタ(61)は閉鎖状態となり、第２シャッタ(62)は開口状態となっており、この状態で中央流路(57)と第２下部流路(56)とが連通される。
【０１０５】
給気ファン(95)の駆動により、右下部流路(66)に流入した第１空気は、その後に第１右下開口(24)を通って、第１下部流路(54)へ流入する。一方、排気ファン(96)の駆動により、左下部流路(68)へ流入した第２空気は、その後に第１左側開口(31)を通って、第１流路(51)へ流入する。
【０１０６】
第１下部流路(54)の第１空気は、第１吸着素子(81)の調湿側通路(85)へ流入する。この調湿側通路(85)を流れる間に、第１空気に含まれる水蒸気が吸着材に吸着される。第１吸着素子(81)で減湿された第１空気は、第１上部流路(53)へ流入する。
【０１０７】
一方、第１流路(51)の第２空気は、第１吸着素子(81)の冷却側通路(86)へ流入する。この冷却側通路(86)を流れる間に、第２空気は、調湿側通路(85)で水蒸気が吸着材に吸着された際に生じた吸着熱を吸熱する。吸着熱を奪った第２空気は、中央通路(57)へ流入して再生熱交換器(102)を通過する。その際、再生熱交換器(102)では、第２空気が冷媒との熱交換によって加熱される。その後、第２空気は、中央流路(57)から第２下部流路(56)へ流入する。
【０１０８】
第１吸着素子(81)及び再生熱交換器(102)で加熱された第２空気は、第２吸着素子(82)の調湿側通路(85)へ導入される。この調湿側通路(85)では、第２空気によって吸着材が加熱され、吸着材から水蒸気が脱離する。つまり、第２吸着素子(82)の再生が行われる。吸着材を再生した後の第２空気は、第２上部流路(55)へ流入する。
【０１０９】
図１に示すように、第１上部流路(53)へ流入した減湿後の第１空気は、第１左上開口(33)を通って左上部流路(67)へ流入し、その後に給気側流路(42)へ流入する。この第１空気は、給気側流路(42)を流れる間に第１熱交換器(103)を通過し、冷媒との熱交換によって冷却される。その後、減湿及び冷却された第１空気は、給気口(14)を通って室内へ供給される。
【０１１０】
一方、第２上部流路(55)へ流入した第２空気は、第２右上開口(25)を通って、右上部流路(65)へ流入し、その後に排気側流路(41)へ流入する。この第２空気は、排気側流路(41)を流れる間に第２熱交換器(104)を通過する。この際、第２熱交換器(104)は休止しており、第２空気は加熱も冷却もされない。そして、第１吸着素子(81)の冷却と第２吸着素子(82)の再生とに利用された第２空気は、排気口(16)を通って室外へ排出される。
【０１１１】
次に除湿運転の第２動作について、図２，図５(Ｂ)を参照しながら説明する。この第２動作では、第１動作時とは逆に、第２吸着素子(82)についての吸着動作と第１吸着素子(81)についての再生動作とが行われる。つまり、第２動作では、第２吸着素子(82)で空気が減湿されると同時に、第１吸着素子(81)の吸着材が再生される。
【０１１２】
図２に示すように、右側仕切板(20)では、第１右上開口(23)と第２右下開口(26)の開閉シャッタが開口状態であり、残りの開口(21,22,24,25)の開閉シャッタは閉鎖状態となっている。この状態では、第１右上開口(23)によって第１上部流路(53)と右上部流路(65)とが連通し、第２右下開口(26)によって右下部流路(66)と第２下部流路(56)とが連通している。
【０１１３】
左側仕切板(30)では、第２左側開口(32)と第２左上開口(35)の開閉シャッタが開口状態であり、残りの開口(31,33,34,36)の開閉シャッタが閉鎖状態となっている。この状態では、第２左側開口(32)によって左下部流路(68)と第２流路(52)とが連通し、第２左上開口(35)によって第２上部流路(55)と左上部流路(67)とが連通している。
【０１１４】
また、図５(Ｂ)に示すように、第２シャッタ(62)は閉鎖状態となり、第１シャッタ(61)は開口状態となっており、この状態で中央流路(57)と第１下部流路(54)とが連通している。
【０１１５】
給気ファン(95)の駆動により、右下部流路(66)に流入した第１空気は、その後に第２右下開口(26)を通って、第２下部流路(56)へ流入する。一方、排気ファン(96)の駆動により、左下部流路(68)へ流入した第２空気は、その後に第２左側開口(32)を通って、第２流路(52)へ流入する。
【０１１６】
第２下部流路(56)の第１空気は、第２吸着素子(82)の調湿側通路(85)へ流入する。この調湿側通路(85)を流れる間に、第１空気に含まれる水蒸気が吸着材に吸着される。第２吸着素子(82)で減湿された第１空気は、第２上部流路(55)へ流入する。
【０１１７】
一方、第２流路(52)の第２空気は、第２吸着素子(82)の冷却側通路(86)へ流入する。この冷却側通路(86)を流れる間に、第２空気は、調湿側通路(85)で水蒸気が吸着材に吸着された際に生じた吸着熱を吸熱する。吸着熱を奪った第２空気は、中央通路(57)へ流入して再生熱交換器(102)を通過する。その際、再生熱交換器(102)では、第２空気が冷媒との熱交換によって加熱される。その後、第２空気は、中央流路(57)から第１下部流路(54)へ流入する。
【０１１８】
第２吸着素子(82)及び再生熱交換器(102)で加熱された第２空気は、第１吸着素子(81)の調湿側通路(85)へ導入される。この調湿側通路(85)では、第２空気によって吸着材が加熱され、吸着材から水蒸気が脱離する。つまり、第１吸着素子(81)の再生が行われる。吸着材を再生した後の第２空気は、第２上部流路(55)へ流入する。
【０１１９】
図２に示すように、第２上部流路(55)へ流入した減湿後の第１空気は、第２左上開口(35)を通って左上部流路(67)へ流入し、その後に給気側流路(42)へ流入する。この第１空気は、給気側流路(42)を流れる間に第１熱交換器(103)を通過し、冷媒との熱交換によって冷却される。その後、減湿及び冷却された第１空気は、給気口(14)を通って室内へ供給される。
【０１２０】
上記第１上部流路(53)へ流入した第２空気は、第１右上開口(23)を通って、右上部流路(65)へ流入し、その後に排気側流路(41)へ流入する。この第２空気は、排気側流路(41)を流れる間に第２熱交換器(104)を通過する。その際、第２熱交換器(104)は休止しており、第２空気は加熱も冷却もされない。そして、第２吸着素子(82)の冷却と第１吸着素子(81)の再生とに利用された第２空気は、排気口(16)を通って室外へ排出される。
【０１２１】
−加湿運転−
次に、加湿運転時の第１動作について、図３，図６(Ａ)を参照しながら説明する。この第１動作では、第１吸着素子(81)についての吸着動作と、第２吸着素子(82)についての再生動作とが行われる。つまり、第１動作では、第２吸着素子(82)で空気が加湿され、第１吸着素子(81)の吸着材が水蒸気を吸着する。
【０１２２】
図３に示すように、右側仕切板(20)では、第１右側開口(21)と第１右上開口(23)の開閉シャッタが開口状態であり、残りの開口(22,24,25,26)の開閉シャッタは閉鎖状態となっている。この状態では、第１右側開口(21)によって右下部流路(66)と第１流路(51)とが連通し、第１右上開口(23)によって第１上部流路(53)と右上部流路(65)とが連通している。
【０１２３】
左側仕切板(30)では、第１左下開口(34)と第２左上開口(35)の開閉シャッタが開口状態であり、残りの開口(31,32,33,36)の開閉シャッタが閉鎖状態となっている。この状態では、第１左下開口(34)によって左下部流路(68)と第１下部流路(54)とが連通し、第２左上開口(35)によって第２上部流路(55)と左上部流路(67)とが連通している。
【０１２４】
また、図６(Ａ)に示すように、第１シャッタ(61)は閉鎖状態となり、第２シャッタ(62)は開口状態となっており、この状態で中央流路(57)と第２下部流路(56)とが連通している。
【０１２５】
給気ファン(95)の駆動により、右下部流路(66)へ流入した第１空気は、その後に第１右側開口(21)を通って、第１流路(51)へ流入する。一方、排気ファン(96)の駆動により、左下部流路(68)に流入した第２空気は、その後に第１左下開口(34)を通って、第１下部流路(54)へ流入する。 第１下部流路(54)の第２空気は、第１吸着素子(81)の調湿側通路(85)へ流入する。この調湿側通路(85)を流れる間に、第２空気に含まれる水蒸気が吸着材に吸着される。第１吸着素子(81)で水分を奪われた第２空気は、第１上部流路(53)へ流入する。
【０１２６】
一方、第１流路(51)の第１空気は、第１吸着素子(81)の冷却側通路(86)へ流入する。この冷却側通路(86)を流れる間に、第１空気は、調湿側通路(85)で水蒸気が吸着材に吸着された際に生じた吸着熱を吸熱する。吸着熱を奪った第１空気は、中央通路(57)へ流入して再生熱交換器(102)を通過する。その際、再生熱交換器(102)では、第１空気が冷媒との熱交換によって加熱される。その後、第１空気は、中央流路(57)から第２下部流路(56)へ流入する。
【０１２７】
第１吸着素子(81)及び再生熱交換器(102)で加熱された第１空気は、第２吸着素子(82)の調湿側通路(85)へ導入される。この調湿側通路(85)では、第１空気によって吸着材が加熱され、吸着材から水蒸気が脱離する。つまり、第２吸着素子(82)の再生が行われる。吸着材から脱離した水蒸気が第１空気に付与され、第１空気が加湿される。第２吸着素子(82)で加湿された第１空気は、その後に第２上部流路(55)へ流入する。
【０１２８】
図３に示すように、第２上部流路(55)へ流入した第１空気は、第２左上開口(35)を通って左上部流路(67)へ流入し、その後に給気側流路(42)へ流入する。この第１空気は、給気側流路(42)を流れる間に第１熱交換器(103)を通過する。その際、第１熱交換器(103)は休止しており、第１空気は加熱も冷却もされない。そして、加湿された第１空気は、給気口(14)を通って室内へ供給される。
【０１２９】
一方、第１上部流路(53)へ流入した第２空気は、第１右上開口(23)を通って、右上部流路(65)へ流入し、その後に排気側流路(41)へ流入する。この第２空気は、排気側流路(41)を流れる間に第２熱交換器(104)を通過し、冷媒との熱交換によって冷却される。そして、水分と熱を奪われた第２空気は、排気口(16)を通って室外へ排出される。
【０１３０】
次に加湿運転の第２動作について、図４，図６(Ｂ)を参照しながら説明する。この第２動作では、第１動作時とは逆に、第２吸着素子(82)についての吸着動作と第１吸着素子(81)についての再生動作とが行われる。つまり、第２動作では、第１吸着素子(81)で空気が加湿され、第２吸着素子(82)の吸着材が水蒸気を吸着する。
【０１３１】
図４に示すように、右側仕切板(20)では、第２右側開口(22)と第２右上開口(25)の開閉シャッタが開口状態であり、残りの開口(21,23,24,26)の開閉シャッタは閉鎖状態となっている。この状態では、第２右側開口(22)によって右下部流路(66)と第２流路(52)とが連通され、第２右上開口(25)によって第２上部流路(55)右上部流路(65)とが連通される。
【０１３２】
左側仕切板(30)では、第１左上開口(33)と第２左下開口(36)の開閉シャッタが開口状態であり、残りの開口(31,32,34,35)の開閉シャッタが閉鎖状態となっている。この状態では、第１左上開口(33)によって第１上部流路(53)と左上部流路(67)とが連通し、第２左下開口(36)によって左下部流路(68)と第２下部流路(56)とが連通している。
【０１３３】
また、図６(Ｂ)に示すように、第２シャッタ(62)は閉鎖状態となり、第１シャッタ(61)は開口状態となっており、この状態で中央流路(57)と第１下部流路(54)とが連通している。
【０１３４】
給気ファン(95)の駆動により、右下部流路(66)へ流入した第１空気は、その後に第２右側開口(22)を通って、第２流路(52)へ流入する。一方、排気ファン(96)の駆動により、左下部流路(68)に流入した第２空気は、その後に第２左下開口(36)を通って、第２下部流路(56)へ流入する。第２下部流路(56)の第２空気は、第２吸着素子(82)の調湿側通路(85)へ流入する。この調湿側通路(85)を流れる間に、第２空気に含まれる水蒸気が吸着材に吸着される。第２吸着素子(82)で水分を奪われた第２空気は、第２上部流路(55)へ流入する。
【０１３５】
一方、第２流路(52)の第１空気は、第２吸着素子(82)の冷却側通路(86)へ流入する。この冷却側通路(86)を流れる間に、第１空気は、調湿側通路(85)で水蒸気が吸着材に吸着された際に生じた吸着熱を吸熱する。吸着熱を奪った第１空気は、中央通路(57)へ流入して再生熱交換器(102)を通過する。その際、再生熱交換器(102)では、第２空気が冷媒との熱交換によって加熱される。その後、第２空気は、中央流路(57)から第１下部流路(54)へ流入する。
【０１３６】
第２吸着素子(82)及び再生熱交換器(102)で加熱された第１空気は、第１吸着素子(81)の調湿側通路(85)へ導入される。この調湿側通路(85)では、第１空気によって吸着材が加熱され、吸着材から水蒸気が脱離する。つまり、第１吸着素子(81)の再生が行われる。そして、吸着材から脱離した水蒸気が第１空気に付与され、第１空気が加湿される。第１吸着素子(81)で加湿された第１空気は、その後に第１上部流路(53)へ流入する。
【０１３７】
図４に示すように、第１上部流路(53)へ流入した第１空気は、第１左上開口(33)を通って左上部流路(67)へ流入し、その後に給気側流路(42)へ流入する。この第１空気は、給気側流路(42)を流れる間に第１熱交換器(103)を通過する。その際、第１熱交換器(103)は休止しており、第１空気は加熱も冷却もされない。そして、加湿された第１空気は、給気口(14)を通って室内へ供給される。
【０１３８】
一方、第２上部流路(55)へ流入した第２空気は、第２右上開口(25)を通って、右上部流路(65)へ流入し、その後に排気側流路(41)へ流入する。この第２空気は、排気側流路(41)を流れる間に第２熱交換器(104)を通過し、冷媒との熱交換によって冷却される。そして、水分と熱を奪われた第２空気は、排気口(16)を通って室外へ排出される。
【０１３９】
−ドレン水の排出動作−
次に、前述した空気調和装置の除湿運転及び加湿運転時におけるドレン水の排出動作について、図を参照しながら説明する。
【０１４０】
−除湿運転−
図１，図２に示すように、除湿運転時には、第１空気が吸着素子(81,82)で吸着され、第２空気が吸着素子(81,82)を再生する。この際、除湿運転の第１動作において、第１空気は、第１吸着素子(81)の調湿側通路(85)のみを通過する一方、第２空気は、第１吸着素子(81)の冷却側通路(86)と第２吸着素子(82)の調湿側通路(85)との双方を通過する。また、除湿運転の第２動作において、第１空気は、第２吸着素子(82)の調湿側通路(85)のみを通過する一方、第２空気は、第２吸着素子(82)の冷却側通路(86)と第１吸着素子(81)の調湿側通路(85)との双方を通過する。したがって、除湿運転時に、第１，第２空気が、第１，第２空気通路を通過する際に生じる圧力損失は、第２空気通路の方が大きくなる。よって、第２空気通路の圧力は、第１空気通路の圧力よりも低くなる。
【０１４１】
ここで、第１熱交換器(103)及び第２熱交換器(104)の近傍より発生したドレン水が、第１ドレンパン(131)及び第２ドレンパン(132)にぞれぞれ回収されると、上記圧力差により、第１ドレンパン(131)内のドレン水が、連通通路(133)を介して、第２ドレンパン(132)に移送される。したがって、ドレン水は第２ドレンパン(132)に集められる。
【０１４２】
除湿運転時において、排気側流路(41)に配置された第２ドレンパン(132)の近傍には、吸着素子(81,82)を再生した後の第２空気が流通している。このため、第２ドレンパン(132)内のドレン水は、この第２空気により蒸発する。そして、第２空気は、気化したドレン水とともに、排出口(16)より室外へ排出される。
【０１４３】
−加湿運転−
図３、図４に示すように、加湿運転時には、第２空気が吸着素子(81,82)で吸着され、第１空気が吸着素子(81,82)で加湿される。この際、加湿運転の第１動作において、第２空気は、第１吸着素子(81)の調湿側通路(85)のみを通過する一方、第１空気は、第１吸着素子(81)の冷却側通路(86)と第２吸着素子(82)の調湿側通路(85)との双方を通過する。また、加湿運転の第２動作において、第２空気は、第２吸着素子(82)の調湿側通路(85)のみを通過する一方、第１空気は、第２吸着素子(82)の冷却側通路(86)と第１吸着素子(81)の調湿側通路(85)との双方を通過する。したがって、加湿運転時に、第１，第２空気が、第１，第２空気通路を通過する際に生じる圧力損失は、第１空気通路の方が大きくなる。よって、第１空気通路の圧力は、第２空気通路の圧力よりも低くなる。
【０１４４】
ここで、第１熱交換器(103)及び第２熱交換器(104)の近傍より発生したドレン水が、第１ドレンパン(131)及び第２ドレンパン(132)にぞれぞれ回収されると、上記圧力差により、第２ドレンパン(132)内のドレン水が、連通通路(133)を介して、第１ドレンパン(131)に移送される。したがって、ドレン水は第１ドレンパン(131)に集められる。
【０１４５】
加湿運転時において、給気側流路(42)に配置された第１ドレンパン(131)の近傍には、吸着素子(81,82)で加湿された後の第１空気が流通している。このため、第１ドレンパン(131)内のドレン水は、この第１空気により蒸発される。そして、第２空気は、気化されたドレン水ととともに、給気口(14)より室外へ供給される。
【０１４６】
−実施形態１の効果−
本実施形態１によれば、以下のような効果が発揮される。
【０１４７】
本実施形態１では、第１熱交換器(103)と第２熱交換器(104)とをケーシング(10)内の第１パネル(11)側で互いに近接して配置し、第１，第２熱交換器(103,104)より発生するドレン水を回収する第１，第２ドレンパン(131,132)を上記第１，第２熱交換器(103,104)の近傍に配置している。この構成により、第１ドレンパン(131)と第２ドレンパン(132)とを一体化して、ドレンパン(130)をケーシング(10)内にコンパクトに収装することができる。
【０１４８】
また、本実施形態１では、上記第１，第２ドレンパン(131,132)が連通する連通通路(133)を設けている。この際、除湿運転時には、第１空気通路と第２空気通路との差圧発生手段として、第２空気通路の圧力損失が、第１空気通路の圧力損失よりも大きくなるように構成している。これにより、第２空気通路の圧力が、第１空気通路の圧力よりも低くなるため、第１ドレンパン(131)内のドレン水を第２ドレンパン(132)へ移送することができる。ここで、第２ドレンパン(132)の近傍には、第２空気が流通しており、このドレン水は、第２空気によって蒸発した後、第２空気とともに、排気口(16)より室外へ排出される。
【０１４９】
この際、第２空気が流通する排気側流路(41)には、圧縮機(101)が配置されており、この圧縮機(101)の近傍では、圧縮機(101)の稼働に伴う熱が生じている。このため、この熱を第２空気の加温に利用することにより、第２ドレンパン(132)内のドレン水の蒸発を促進することができる。
【０１５０】
一方、加湿運転時には、第１空気通路と第２空気通路の差圧発生手段として、第１空気通路の圧力損失が、第２空気通路の圧力損失よりも大きくなるように構成している。これにより、第１空気通路の圧力が、第２空気通路の圧力よりも低くなるため、第２ドレンパン(132)内のドレン水を第１ドレンパン(131)へ移送することができる。ここで、第１ドレンパン(131)の近傍には、第１空気が流通しており、このドレン水は、第１空気によって蒸発した後、第１空気とともに給気口(14)より室内へ供給される。この際、第１ドレンパン(131)の蒸発により第１空気はさらに加湿されて、室内へ供給される。このため、空気調和装置の加湿性能を向上することができる。
【０１５１】
《発明の実施形態２》
次に本発明の実施形態２について図面に基づいて詳細に説明する。
【０１５２】
図９(Ａ)は、室内の窓枠などに取り付けて室内空気の温度調整を行う空気調和装置を示した概略斜視図である。
【０１５３】
上記空気調和装置は、略直方体状のケーシング(10)の一側面（前面）に、室内空気を吸引するための室内側吸引口(161)と、この吸引された室内空気が室内へ給気される室内側給気口(162)とが形成されている。一方、上記ケーシング(10)の他面（後面）には、図示しない室外空気が吸引される室外側吸引口と、この吸引された室外空気が室外へ排出される室外側排気口が形成されている。また、上記ケーシング(10)内の空間は、波形状の仕切り板(163)によって、２つの空間に仕切られている。ここで、ケーシング(10)内の前面の空間は、室内側吸引口(161)と室内側給気口(162)とに連通しており、この空間が第１空気通路となる。一方、ケーシング(10)内の後面の空間は、室外側吸引口と室外側排気口とに連通しており、この空間が第２空気通路となる。
【０１５４】
第１空気通路内には、ケーシング(10)の室内側吸引口(161)に近い位置に、室内空気の冷却及び加温を行う第１熱交換器(103)が設けられている。また、上記第１熱交換器(103)の後側であって、第１空気通路の出口側端部には、室内空気を吸引して、再び室内へ供給する給気ファン(95)（第１送風手段）が配置されている。この構成により、給気ファン(95)によって吸引された室内空気は、室内側吸引口(161)よりケーシング(10)内に導入され、第１熱交換機(103)によって温度調整された後に、室内側給気口(162)より室内へ供給される。この際、上記室内側吸引口(161)より吸引されて、上記室内側排気口(162)より供給される室内空気が第１空気となる。
【０１５５】
第２空気通路内には、ケーシング(10)の後面に近い位置に、室外空気と熱交換する第２熱交換器(104)が設けられている。また、上記第２熱交換器(104)の前側であって、第２空気通路の出口側端部には、室外空気を吸引して、再び室外へ排出する排気ファン(96)（第２送風手段）が配置されている。この構成により、排気ファン(96)によって吸引された室外空気は、室外側吸引口よりケーシング(10)内に導入され、第２熱交換機(104)を通過した後に、室外側排気口より室外へ排出される。この際、上記室外側吸引口より吸引されて、上記室外側排気口より排出される室外空気が第２空気となる。
【０１５６】
また、図９(Ｂ)に示すように、上記第１，第２熱交換器(103,104)と上記仕切り板(163)の双方の下部（図９の下側）には、第１熱交換器(103)と第２熱交換器(104)とで発生するドレン水を回収するためのドレンパン(130)が設置されている。このドレンパン(130)は、第１熱交換器(103)より発生したドレン水を回収するための第１ドレンパン(131)と、第２熱交換器(104)より発生したドレン水を回収するための第２ドレンパン(132)とを備えている。また、この第１ドレンパン(131)と第２ドレンパン(132)との間には、連通通路(133)が形成され、第１ドレンパン(131)と第２ドレンパン(132)とが互いに連通した状態となっている。
【０１５７】
−運転及びドレン水排出動作−
本実施形態２の空気調和装置において、冷房運転時には、第１熱交換器(103)が蒸発器となる一方、第２熱交換器(104)が凝縮器となる。冷房運転時において、給気ファン(95)及び排気ファン(96)が稼働すると、第１空気は第１熱交換器(103)によって冷却され、室内へ再び供給される。一方、第２空気は、第２熱交換器(104)と熱交換して室外へ排出される。ここで、第１熱交換器(103)の近傍では、ドレン水が発生するため、このドレン水が第１ドレンパン(131)に回収される。
【０１５８】
この際、第１空気通路と第２空気通路との差圧発生手段として、排気ファン(96)を運転する一方、給気ファン(95)を所定の時間停止すると、第２ドレンパン(132)の近傍に吸引圧が作用する一方、第１ドレンパン(131)には圧力が作用しない状態となる。このため、第２空気通路の圧力は、第１空気通路の圧力よりも低くなる。したがって、この圧力差によって、第１ドレンパン(131)内のドレン水は、連通通路(133)を介して、第２ドレンパン(132)へ移送される。
【０１５９】
また、第２ドレンパン(132)の近傍には、排気ファン(96)によって吸引された第２空気が流通している。したがって、第２ドレンパン(132)内のドレン水は、この第２空気によって蒸発されて、室外側排気口より室外へ排出される。
【０１６０】
一方、上記構成の空気調和装置において、暖房運転時には、第２熱交換器(103)が凝縮器となる一方、第２熱交換器(104)が蒸発器となる。暖房運転時において、給気ファン(95)及び排気ファン(96)が稼働すると、第１空気は第１熱交換器(103)によって加温され、室内へ再び供給される。一方、第２空気は、第２熱交換器(104)と熱交換して室外へ排出される。ここで、第２熱交換器(103)の近傍では、ドレン水が発生するため、このドレン水が第２ドレンパン(132)に回収される。
【０１６１】
この際、差圧発生手段として、給気ファン(95)を運転する一方、排気ファン(95)を所定の時間停止すると、第１ドレンパン(131)の近傍に吸引圧が作用する一方、第２ドレンパン(132)には圧力が作用しない状態となる。このため、第１空気通路の圧力は、第２空気通路の圧力よりも低くなる。したがって、この圧力差によって、第２ドレンパン(132)内のドレン水は、連通通路(133)を介して、第１ドレンパン(132)へ移送される。
【０１６２】
また、第１ドレンパン(131)の近傍には、給気ファン(95)によって吸引された第１空気が流通している。したがって、第１ドレンパン(131)内のドレン水は、この第１空気によって蒸発されて、室外側排気口より室外へ排出される。
【０１６３】
−実施形態２の効果−
本実施形態２によれば、以下の効果が発揮される。
【０１６４】
本実施形態２では、第１，第２熱交換器(103,104)の下部に第１ドレンパン(131)と第２ドレンパン(132)とを近接して配置し、一体になったドレンパン(130)を構成している。このため、ケーシング(10)内に、ドレンパン(130)をコンパクトに収装することができる。
【０１６５】
また、本実施形態２では、上記第１，第２ドレンパン(131,132)が連通する連通通路(133)を設けている。そして、冷房運転時には、第１空気通路と第２空気通路との差圧発生手段として、排気ファン(96)を運転する一方、給気ファン(95)を所定の時間停止するようにしている。したがって、第２空気通路の圧力が、第１空気通路の圧力よりも低くなるため、第１ドレンパン(131)内に回収されたドレン水を第２ドレンパン(132)へ移送することができる。ここで、第２ドレンパン(132)の近傍には、第２空気が流通している。このため、ドレン水は、この第２空気によって蒸発された後、第２空気とともに室外側排気口より室外へ排出される。
【０１６６】
一方、暖房運転時には、第１空気通路と第２空気通路との差圧発生手段として、給気ファン(95)を運転する一方、排気ファン(96)を所定の時間停止するようにしている。これにより、第１空気通路の圧力が、第２空気通路の圧力よりも低くなるため、第２ドレンパン(132)内に回収されたドレン水を第１ドレンパン(131)へ移送することができる。ここで、第１ドレンパン(131)の近傍には、第１空気が流通している。このため、ドレン水は、この第１空気によって蒸発された後、第１空気とともに室内側給気口(162)より室内へ供給される。この際、第１ドレンパン(131)内のドレン水の蒸発により第１空気は加湿されるため、暖房運転時に加湿効果を得ることができる。
【０１６７】
《発明の実施形態３》
次に本発明の実施形態３について図面に基づいて詳細に説明する。
【０１６８】
図１０は、熱交換器(170)によって室内空気の空調を行う換気型の空気調和装置の概略図を示したものである。
【０１６９】
上記空気調和装置は、略直方体状のケーシング(10)の一側面（図１０の左側）に室外空気が吸引される室外側吸引口(171)と、室内空気が室外へ排出される室外側排気口(172)とが形成されている。一方、ケーシング(10)の他面(図１０の右側)には、室内空気が吸引される室内側吸引口(173)と、室外空気が室内へ供給される室内側給気口(174)とが形成されている。また、ケーシング(10)内には、室外側吸引口(171)より室外空気を吸引して、この室外空気を室内側給気口(174)より給気するための給気ファン(95)(第１送風手段)が配置されている。ここで、上記室外側吸引口(171)から上記室内側給気口(174)までの空気通路が第１空気通路となるとともに、この第１空気通路を流通する空気が第１空気となる。さらに、ケーシング(10)内には、室内側吸引口(173)より室内空気を吸引して、この室内空気を室外側排気口(172)より排出するための排気ファン(96)(第２送風手段)が配置されている。ここで、上記室内側吸引口(173)から上記室外側給気口(172)までの空気通路が第２空気通路となるとともに、この第２空気通路を流通する空気が第２空気となる。また、上記排気ファン(96)は、室外側排気口(172)の近傍（第２空気通路の出口側端部）に配置されている。また、ケーシング(10)内には、第１，第２空気の熱及び水分を交換させる全熱交換器(175)が設置されている。さらに、第１空気通路には、第１空気の冷却及び加温を行う熱交換器(170)と、第１空気の加湿を行う加湿器(176)とが設けられている。なお、上記熱交換器(170)は、例えば、図示しない室外側の熱交換器と冷凍サイクルを行い、蒸発器あるいは凝縮器として機能するように構成されている。
【０１７０】
以上の構成より、給気ファン(95)によって吸引された第１空気は、室外側吸引口(171)、全熱交換器(175)、熱交換器(170)、加湿器(176)を通過した後、室内側給気口(174)より室内へ給気される。一方、排気ファン(96)によって吸引された第２空気は、室内側吸引口(173)、全熱交換器(175)を通過した後、室外側排気口(172)より室外へ排出される。
【０１７１】
また、上記第１空気通路に位置する熱交換器(170)及び加湿器(176)の下部には、第１ドレンパン(131)が設置されており、上記熱交換器(170)や加湿器(176)で発生したドレン水を回収可能な状態となっている。また、第２空気通路の排気ファン(96)近傍には、第２ドレンパン(132)が設置されている。そして、この第１ドレンパン(131)と第２ドレンパン(132)との間には、連通通路(133)が形成され、第１ドレンパン(131)と第２ドレンパン(132)とが互いに連通した状態となっている。
【０１７２】
−運転及びドレン水排出動作−
本実施形態３の空気調和装置において、冷房運転時には、熱交換器(170)が蒸発器となり、加湿器(176)は停止した状態にある。給気ファン(95)及び排気ファン(96)が稼働すると、第１空気及び第２空気は全熱交換器(175)を通過し、互いに熱交換する。熱交換された後の第１空気は、熱交換器(170)によって冷却され、室内側給気口(174)より室内へ供給される。一方、熱交換された後の第２空気は、室外側排気口(172)より室外へ排出される。ここで、熱交換器(170)近傍では、ドレン水が発生するため、このドレン水が第１ドレンパン(131)に回収される。
【０１７３】
この際、第１空気通路と第２空気通路との差圧発生手段として、排気ファン(96)を運転する一方、給気ファン(95)を所定の時間停止すると、第２ドレンパン(132)の近傍に吸引圧が作用する一方、第１ドレンパンには圧力が作用しない状態となる。このため、第２空気通路の圧力は、第１空気通路の圧力よりも低くなる。したがって、この圧力差によって、第１ドレンパン(131)内のドレン水は、連通通路(133)を介して、第２ドレンパン(132)へ移送される。
【０１７４】
また、第２ドレンパン(132)の近傍には、排気ファン(96)によって吸引された第２空気が流通している。したがって、第２ドレンパン(132)内のドレン水は、この第２空気によって蒸発されて、室外側排気口(172)より室外へ排出される。
【０１７５】
一方、上記構成の空気調和装置において、暖房運転時には、熱交換器(170)が凝縮器となり、加湿器(176)は運転した状態にある。暖房運転時において、給気ファン(95)及び排気ファン(96)が稼働すると、第１空気及び第２空気は全熱交換器(175)を通過し、互いに熱交換する。熱交換された後の第１空気は、熱交換器(170)によって加温され、さらに加湿器(176)によって加湿される。そして、加温及び加湿された後の第１空気は、室内側給気口(174)より室内へ供給される。一方、熱交換された後の第２空気は、室外側排気口(172)より室外へ排出される。ここで、加湿器(176)の近傍では、ドレン水が発生するため、このドレン水が第１ドレンパン(131)に回収される。この第１ドレンパン(131)に回収されたドレン水は、第１ドレンパン(131)の近傍を流通する第１空気によって蒸発され、室内側給気口(174)より室内へ供給される。
【０１７６】
−実施形態３の効果−
本実施形態３によれば、以下の効果が発揮される。
【０１７７】
本実施形態３では、第１ドレンパン(131)と第２ドレンパン(132)とを近接して配置し、ドレンパン(130)を構成している。このため、ケーシング(10)内に、ドレンパン(130)をコンパクトに収装することができる。
【０１７８】
また、本実施形態３では、上記第１，第２ドレンパン(131,132)が連通する連通通路(133)を設けている。この際、冷房運転時には、第１空気通路と第２空気通路との差圧発生手段として、排気ファン(96)を運転する一方、給気ファン(95)を所定の時間停止するようにしている。これにより、第２空気通路の圧力が、第１空気通路の圧力よりも低くなるため、第１ドレンパン(131)内のドレン水を第２ドレンパン(132)へ移送することができる。ここで、第２ドレンパン(132)の近傍には、第２空気が流通しており、このドレン水は、第２空気によって蒸発された後、第２空気とともに、室外側排気口(172)より室外へ排出される。
【０１７９】
《その他の実施形態》
本発明は、上記実施形態について、以下のような構成としてもよい。
【０１８０】
実施形態１では、第１空気通路と第２空気通路との差圧発生手段として、除湿運転時に第２空気通路の圧力損失を第１空気通路の圧力損失より大きくする、あるいは加湿運転時に第１空気通路の圧力損失を第２空気通路の圧力損失より大きくしている。しかしながら、上記構成以外に、差圧発生手段を、実施形態２や３で前述したように、第１送風手段(95)と第２送風手段(96)の停止動作を利用した構成にすることもできる。より具体的に、その他の差圧発生手段として、除湿運転時には、第２送風手段(96)を運転しながら、第１送風手段(95)を所定の時間停止するようにする。第１送風手段(95)及び第２送風手段(96)は、第１，第２ドレンパン(131,132)の近傍にそれぞれ吸引圧を作用させているため、この第１送風手段(95)の停止により、第１空気通路の圧力は高くなる。よって、第２空気通路の圧力は、第１空気通路の圧力と比較して、相対的に低くなる。このため、第１ドレンパン(131)内のドレン水を第２ドレンパン(132)に移送することができる。
【０１８１】
一方、加湿運転時には、第１送風手段(95)を運転しながら、第２送風手段(96)を所定の時間停止するようにする。この第２送風手段(96)の停止により、第２空気通路の圧力は高くなる。よって、第１空気通路の圧力は、第２空気通路の圧力と比較して、相対的に低くなる。このため、第２ドレンパン(132)内のドレン水を第１ドレンパン(131)に移送することができる。
【０１８２】
なお、これらの差圧発生手段は、空気調和装置の設置方法や、室外側吸引口(13)、室内側吸引口(15)、給気口(14)、及び排気口(16)に接続されるダクトの影響により、第１空気通路と第２空気通路で発生する圧力差が生じにくい場合に、利用されることが望ましい。
【０１８３】
また、実施形態２では、窓枠取り付け型の空気調和装置において、ドレンパン(130)を第１ドレンパン(131)と第２ドレンパン(132)と連通通路(133)とで構成し、差圧発生手段により、第１，第２熱交換器(103,104)で発生したドレン水を片側のドレンパンに移送して、機外へ排出するようにしている。しかしながら、上記空気調和装置以外に、例えば図１１に示すような第１，第２熱交換器(103,104)を有する換気型の空気調和装置においても、このドレン水排出構造を適用することができる。この空気調和装置では、第１熱交換器の下部に第１ドレンパン(131)を設置するとともに、第２熱交換器の下部に第２ドレンパン(132)を設置し、上記第１ドレンパン(131)と第２ドレンパン(132)とが連通する連通通路(133)を形成して、ドレンパン(130)を構成している。そして、冷房運転時には、第１熱交換器(131)で発生したドレン水を第１ドレンパン(131)に回収した後、片側のファンを停止する差圧発生手段により、このドレン水を第２ドレンパン(132)へ移送する。そして、排気ファン(96)により室外へ排出される第２空気により、このドレン水を蒸発して、第２空気とともに機外へ排出する。一方、暖房運転時には、第２熱交換器(132)で発生したドレン水を第２ドレンパン(132)に回収した後、片側のファンを停止する差圧発生手段により、このドレン水を第１ドレンパン(131)へ移送する。そして、給気ファン(95)により室内へ供給される第１空気により、このドレン水を蒸発して、第１空気とともに室内へ供給する。
【０１８４】
また、実施形態３では、ケーシング(10)内に、全熱交換器(175)を設け、第１空気と第２空気を互いに熱交換させている。しかしながら、この空気調和装置は、上記全熱交換器(175)の代わりに第１，第２空気の熱のみを交換させる顕熱交換器を用いてもよいし、全熱交換器(175)や顕熱交換器を設けない構成としてもよい。
【０１８５】
また、実施形態３において、熱交換器(170)は、室外側の熱交換器との間で冷媒が循環して冷凍サイクルを行い、第１空気の冷却/加温を行っているが、これ以外に、例えば上記熱交換器(170)を冷温水が通過する熱交換器にして、第１空気の冷却/加温を行えるようにしてもよい。
【産業上の利用可能性】
【０１８６】
以上説明したように、本発明は、空気の冷却などに伴ってドレン水が発生する空気調和装置全般にわたって有用である。
【図面の簡単な説明】
【０１８７】
【図１】実施形態１に係る空気調和装置の構成及び除湿運転時の第１動作における空気の流れを示す概略構成図であり、図１(Ａ)、図１(Ｂ)、図１(Ｃ)は、それぞれ、空気調和装置の上面図、左側面図、右側面図を示すものである。
【図２】実施形態１に係る空気調和装置の構成及び除湿運転時の第２動作における空気の流れを示す概略構成図であり、図２(Ａ)、図２(Ｂ)、図２(Ｃ)は、それぞれ、空気調和装置の上面図、左側面図、右側面図を示すものである。
【図３】実施形態１に係る空気調和装置の構成及び加湿運転時の第１動作における空気の流れを示す概略構成図であり、図３(Ａ)、図３(Ｂ)、図３(Ｃ)は、それぞれ、空気調和装置の上面図、左側面図、右側面図を示すものである。
【図４】実施形態１に係る空気調和装置の構成及び加湿運転時の第２動作における空気の流れを示す概略構成図であり、図４(Ａ)、図４(Ｂ)、図４(Ｃ)は、それぞれ、空気調和装置の上面図、左側面図、右側面図を示すものである。
【図５】実施形態１に係る空気調和装置の除湿運転時の要部拡大図である。
【図６】実施形態１に係る空気調和装置の除湿運転時の要部拡大図である。
【図７】実施形態１に係る空気調和装置の吸着素子の構成を示す概略斜視図である。
【図８】図８(Ａ)、(Ｂ)は実施形態１に係る空気調和装置のドレンパンの要部上面図、要部正面図である。
【図９】図９(Ａ)、(Ｂ)は実施形態２に係る空気調和装置の概略斜視図、要部断面図である。
【図１０】実施形態３に係る空気調和装置の概略側面図である。
【図１１】実施形態２の変形例を示す空気調和装置の概略上面図である。
【符号の説明】
【０１８８】
(10)   ケーシング
(18)   仕切板
(41)   排気側流路
(42)   給気側流路
(81)   第１吸着素子
(82)   第２吸着素子
(95)   給気ファン
(96)   排気ファン
(103)  第１熱交換器
(104)  第２熱交換器
(130)  ドレンパン
(131)  第１ドレンパン
(132)  第２ドレンパン
(133)  連通通路
【図１】
2005030690.tif 000003
【図２】
2005030690.tif 000004
【図３】
2005030690.tif 000005
【図４】
2005030690.tif 000006
【図５】
2005030690.tif 000007
【図６】
2005030690.tif 000008
【図７】
2005030690.tif 000009
【図８】
2005030690.tif 000010
【図９】
2005030690.tif 000011
【図１０】
2005030690.tif 000012
【図１１】
2005030690.tif 000013